(57)【特許請求の範囲】
【請求項１】
先端に円錐形部を有し、後端に頭部が形成された断面丸形のストレート軸の外周に螺旋状のねじ山を形成したタッピングねじにおいて、
前記円錐形部の先端部外周に、前記ねじ山と同方向に捩じれる断面三角形の切込み刃を形成し、その切込み刃の高さを、長さ方向の中央部において高く、両端に至るに従って次第に低くなるようにし、その切込み刃と前記ねじ山の先端間には、前記円錐形部からストレート軸に至る範囲にねじ山のねじれ角よりねじれの大きい断面三角形の一対のねじれ突起を対向位置に設けたことを特徴とするタッピングねじ。
【請求項２】
前記切込み刃のねじれ角を前記ねじ山のねじれ角より大きくした請求項１に記載のタッピングねじ。
【発明の詳細な説明】
【技術分野】
【０００１】
この発明は、石膏ボード等のボード類を固定する際に用いられるタッピングねじに関するものである。
【背景技術】
【０００２】
薄鋼板からなるチャンネル材を用いて壁下地を形成し、その壁下地に石膏ボード等のボード類(以下、単にボードという)を取付けて間仕切り壁や外壁等の壁面を形成することは、一般的に行われている。
【０００３】
上記ボードの取付けに際して、普通、タッピングねじが使用される。
【発明の開示】
【発明が解決しようとする課題】
【０００４】
ところで、従来から知られているタッピングねじは、先端が円錐形とされた断面丸形のストレート軸の外周に螺旋状のねじ山を形成した構成であって、先端の円錐形部にねじ山が存在しないため、そのタッピングねじがボードを貫通して薄鋼板からなるチャンネル材にねじ込まれる際の食い付きが悪く、ボードを能率よくねじ止めすることができないという不都合があった。
【０００５】
また、チャンネル材にタッピングねじがスムーズにねじ込まれないために、ボードが壁下地より離反し、壁下地とボードとの間に隙間が形成される場合があった。
【０００６】
この発明の課題は、薄鋼板からなる壁下地に対してもスムーズにねじ込むことができるようにしたタッピングねじを提供することである。
【課題を解決するための手段】
【０００７】
上記の課題を解決するため、この発明においては、先端に円錐形部を有し、後端に頭部が形成された断面丸形のストレート軸の外周に螺旋状のねじ山を形成したタッピングねじにおいて、前記円錐形部の先端部外周に、前記ねじ山と同方向に捩じれる断面三角形の切込み刃を形成し、その切込み刃の高さを、長さ方向の中央部において高く、両端に至るに従って次第に低くなるようにし、その切込み刃と前記ねじ山の先端間には、前記円錐形部からストレート軸に至る範囲にねじ山のねじれ角よりねじれの大きい断面三角形の一対のねじれ突起を対向位置に設けた構成を採用したのである。
【０００８】
ここで、前記切込み刃のねじれ角を前記ねじ山のねじれ角より大きくしておくことによって、その切込み刃が壁下地にねじ込まれる際のねじ込み量は、ねじ山がボードにねじ込まれる際のねじ込み量より大きいため、ボードを壁下地に押付けることができ、壁下地にボードが密着する体裁の良好な取付け状態を得ることができる。
【０００９】
また、切込み刃とねじ山の先端間に、ねじ山のねじれ角よりねじれの大きい断面三角形の一対のねじれ突起を対向位置に設けたことにより、ボードに対するタッピングねじの初期のねじ込み時、一対のねじれ突起は、ドリルの役目をしてボード表面を座ぐりし、その座ぐりによってボード表面に盛り上がりが生じるという不都合の発生はなく、その座ぐり内にタッピングねじの頭部が納まるため、ボード上にクロスを貼る際に、クロスをきれいに貼ることができる。
【００１０】
また、ねじれ突起がボード内を回転しつつ侵入する際に、上記ねじれ突起によりボードの内部組織をせん断して内部を柔らかくすることができ、その柔らかくなった部分にねじ山が侵入することになるため、ボードに対してタッピングねじをスムーズにねじ込むことができる。
【発明の効果】
【００１１】
上記のように、ストレート軸の先端に形成された円錐形部の先端部外周に、前記ねじ山と同方向に捩じれる断面三角形の切込み刃を形成したことによって、ボードを通過したタッピングねじの先端が薄鋼板からなる壁下地に当接すると、上記切込み刃がその壁下地を直ちに切り込むため、壁下地に対するタッピングねじの食い付きがよく、壁下地に対してタッピングねじをスムーズにねじ込むことができる。このため、ボードを能率よく取付けることができると共に、壁下地に対してボードが密着する体裁の良好な取付け状態を得ることができる。
【発明を実施するための最良の形態】
【００１２】
以下、この発明の実施の形態を図面に基いて説明する。図１(Ｉ)に示すように、丸軸からなるストレート軸１の先端には円錐形部２が形成され、後端には頭部３が設けられている。 
【００１３】
なお、頭部３の表面には、ドライバ等のねじ込み用ビットに対する係合部が形成されているが、図では省略している。
【００１４】
ストレート軸１の外周には、先端から後端に向けて螺旋状のねじ山４が形成されている。一方、円錐形部２の先端部外周には、図１(II)に示すように、断面三角形の切込み刃５が設けられ、その切込み刃５と上記ねじ山４の先端間に一対のねじれ突起６が対向位置に形成されている。
【００１５】
切込み刃５は、ねじ山４と同方向にねじれ、そのねじれ角はねじ山４のねじれ角より大きくなっている。また、切込み刃５は、その長さ方向の中央部における高さが高く、先端および後端に至るに従って高さが次第に低くなっている。
【００１６】
一対のねじれ突起６は断面が三角形とされている。このねじれ突起６は上記ねじ山４と同方向にねじれ、そのねじれ角はねじ山４のねじれ角より大きくなっている。また、ねじれ突起６はその長さ方向の中央部において高さが高く、先端および後端に至るに従って高さが次第に低くなっている。
【００１７】
実施の形態で示すタッピングねじは上記の構造からなり、図２は、壁下地１０に当接されたボード１１にタッピングねじをねじ込んだ状態を示す。そのねじ込み時、先行する一対のねじれ突起６はドリルの役目をしてボード１１の表面を座ぐりすることになる。
【００１８】
このため、ボード１１の表面に盛り上がり部が形成されるという不都合の発生はなく、また、タッピングねじのねじ込み完了後は、頭部３が形成された座ぐり内に納まる状態となってボード１１の表面は平坦な状態に保持されることになり、ボード１１の取付け完了後にその表面にクロスを貼る際に、クロスをきれいに貼り付けることができる。
【００１９】
また、上記一対のねじれ突起６は回転しつつボード１１内に侵入するため、ボード１１の内部組織はねじれ突起６によりせん断されて柔らかくなり、その柔らかくなった部分をねじ山４が侵入するため、ボード１１に対してタッピングねじはスムーズにねじ込まれる。
【００２０】
図２に示すように、タッピングねじの先端がボード１１を貫通すると、円錐形部２の先端が薄鋼板からなる壁下地１０に当接する。このとき、円錐形部２の先端部外周には切込み刃５が形成されているため、タッピングねじのねじ込みが継続されると、その切込み刃５が壁下地１０を切込むことになる。
【００２１】
このように、円錐形部２の先端部外周に切込み刃５を形成しておくことによって、壁下地１０に対するタッピングねじの食い付きがよく、その壁下地１０に対してタッピングねじをスムーズにねじ込むことができる。
【００２２】
このため、ボード１１を能率よくねじ止めすることができると共に、ボード１１が壁下地１０から浮き上がることがないため、図３に示すように、壁下地１０にボード１１が密着する体裁の良好な取付け状態を得ることができる。
【００２３】
また、切込み刃５のねじれ角は、ねじ山４のねじれ角より大きいため、その切込み刃５の壁下地１０に対するねじ込み量はねじ山４がボード１１にねじ込まれるねじ込み量より大きい。このため、ボード１１は壁下地１０に強く押し込まれることになり、より体裁の良好な取付け状態を得ることができる。
【図面の簡単な説明】
【００２４】
【図１】(Ｉ)は、この発明に係るタッピングねじの実施の形態を示す正面図、(II)はタッピングねじの先端部を拡大して示す正面図、(III)は(II)の底面図
【図２】ボードの取り付け途中の状態を示す断面図
【図３】ボードの取り付け完了状態を示す断面図
【符号の説明】
【００２５】
１    ストレート軸
２    円錐形部
３    頭部
４    ねじ山
５    切込み刃
６    ねじれ突起
【図１】
0004727415.tif 000002
【図２】
0004727415.tif 000003
【図３】
0004727415.tif 000004